【手続補正書】
【提出日】令和2年9月8日(2020.9.8)
【手続補正１】
【補正対象書類名】特許請求の範囲
【補正対象項目名】全文
【補正方法】変更
【補正の内容】
【特許請求の範囲】
【請求項１】
輪郭付けられた面を処理するアプリケータアセンブリであって、
前記輪郭付けられた面に表面処理を施すように構成されたアプリケータヘッドを固定及び位置決めするように構成された、取付フレーム、
前記取付フレームに作動可能に連結され、前記輪郭付けられた面をスキャンして輪郭データセットを生成するように構成された、少なくとも１つのセンサ、並びに
前記取付フレームに作動可能に連結され、前記輪郭付けられた面に対する前記アプリケータアセンブリの向きを前記アプリケータアセンブリが維持するよう前記取付フレームを操作するように構成された、アプリケータアクチュエータ
を含む、アプリケータアセンブリ。
【請求項２】
輪郭付けられた面を処理する表面処理アレイであって、
少なくとも第１の半径範囲及び第２の半径範囲を有する、調整可能基部、
前記調整可能基部に連結された複数のアプリケータアセンブリであって、各アプリケータアセンブリがアプリケータヘッドを支持し位置決めするように構成された取付フレームを有する、アプリケータアセンブリ、
各取付フレームに作動可能に連結された少なくとも１つのセンサであって、各センサが、前記輪郭付けられた面をスキャンし輪郭データセットを生成するように構成されている、センサ、
前記調整可能基部に作動可能に連結され、前記調整可能基部を少なくとも前記第１の半径範囲と前記第２の半径範囲との間で操作するように構成された、調整可能基部アクチュエータ、
各取付フレームに作動可能に連結され、各アプリケータアセンブリが前記輪郭付けられた面に対する向きを維持するよう前記取付フレームを操作するように構成された、アプリケータアクチュエータ、並びに
前記調整可能基部アクチュエータに通信可能に連結されたコントローラであって、前記調整可能基部アクチュエータを作動させ、少なくとも前記第１の半径範囲と前記第２の半径範囲との間で前記調整可能基部を操作して、前記輪郭付けられた面に表面処理を施すために各アプリケータアセンブリを選択的に作動させるようプログラムされた、コントローラ
を含む、表面処理アレイ。
【請求項３】
前記コントローラが、前記アプリケータアクチュエータ及び各センサに通信可能に連結されており、前記コントローラが更に、前記輪郭データセットに基づいて各アプリケータアセンブリを作動させるように構成されている、請求項２に記載の表面処理アレイ。
【請求項４】
各センサが、前記輪郭付けられた面をスキャンして前記輪郭データセットを生成するように構成された表面スキャンレーザを含み、前記輪郭データセットは、輪郭付けられた面プロファイル、及び、各アプリケータアセンブリと前記輪郭付けられた面との間の距離を含む、請求項２又は３に記載の表面処理アレイ。
【請求項５】
各アプリケータアクチュエータが、各取付フレームの基部を旋回可能に支持し、各取付フレームを各アプリケータアセンブリの軸の周りで回転させるように構成された、ジンバルを含む、請求項２から４のいずれか一項に記載の表面処理アレイ。
【請求項６】
各アプリケータアクチュエータが、
前記取付フレームに作動可能に連結されたジンバルと、
前記ジンバルの表面に作動可能に連結された第１の外周面を有する第１のホイールと、
前記ジンバルの前記表面に作動可能に連結された第２の外周面を有する第２のホイールと、を更に含み、前記第１のホイール及び第２のホイールが、前記取付フレームを各アプリケータアセンブリの前記軸の周りで回転させるように構成された電気モータによって回転可能に駆動され、前記輪郭付けられた面に対する各アプリケータアセンブリの前記向きを維持する、請求項５に記載の表面処理アレイ。
【請求項７】
前記第１のホイールの前記第１の外周面が、前記第２のホイールの前記第２の外周面に対して直角に向けられ、前記第１のホイール及び第２のホイールが前記電気モータによって独立に駆動され、前記ジンバルが前記取付フレームを複数の回転自由度で回転させることにより、前記輪郭付けられた面に対する各アプリケータアセンブリの前記向きを維持する、請求項６に記載の表面処理アレイ。
【請求項８】
前記アプリケータアクチュエータが、ロッド第１端で各取付フレームに回転可能に連結されロッド第２端で駆動装置に回転可能に連結された、少なくとも２つのロッドを更に含み、前記駆動装置が前記少なくとも２つのロッドを独立に動かし、各取付フレームを各アプリケータアセンブリの軸の周りで回転させ、前記輪郭付けられた面に対する各アプリケータアセンブリの前記向きを維持する、請求項２から７に記載の表面処理アレイ。
【請求項９】
表面処理アレイを用いて、輪郭付けられた面を処理する方法であって、
調整可能基部に複数のアプリケータアセンブリを提供することであって、前記複数のアプリケータアセンブリの各アプリケータアセンブリが、前記輪郭付けられた面に表面処理を施すように構成されている、複数のアプリケータアセンブリを提供すること
前記輪郭付けられた面の既存の形状を判定すること、
調整可能基部アクチュエータを用いて、前記調整可能基部を、前記判定された前記輪郭付けられた面の既存の形状に基づく所望の基部輪郭へ操作することにより、各アプリケータアセンブリを前記輪郭付けられた面に対して位置決めすること、
各アプリケータアセンブリに作動可能に連結されたアプリケータアクチュエータを操作して、前記輪郭付けられた面に対する各アプリケータアセンブリの向きを維持すること、並びに
前記複数のアプリケータアセンブリを選択的に作動させて、前記輪郭付けられた面に沿って前記表面処理を施すこと
を含む、方法。
【請求項１０】
各アプリケータアクチュエータが、各アプリケータアセンブリの取付フレームの基部を旋回可能に支持するように構成されたジンバルを更に含み、前記アプリケータアクチュエータを操作することが、関連付けられたアプリケータアセンブリの軸の周りで各取付フレームを回転させることを含む、請求項９に記載の方法。
【請求項１１】
各アプリケータアセンブリが少なくとも１つのセンサを更に含み、前記輪郭付けられた面の前記既存の形状を判定することが、前記少なくとも１つのセンサを用いて前記輪郭付けられた面をスキャンし、輪郭データセットを生成することを含む、請求項９又は１０に記載の方法。
【手続補正２】
【補正対象書類名】明細書
【補正対象項目名】００５０
【補正方法】変更
【補正の内容】
【００５０】
また、本発明は以下に記載する態様を含む。
（態様Ａ１）
輪郭付けられた面を処理するアプリケータアセンブリであって、
前記輪郭付けられた面に表面処理を施すように構成されたアプリケータヘッドを固定及び位置決めするように構成された、取付フレーム、
前記取付フレームに作動可能に連結され、前記輪郭付けられた面をスキャンして輪郭データセットを生成するように構成された、少なくとも１つのセンサ、並びに
前記取付フレームに作動可能に連結され、前記輪郭付けられた面に対する前記アプリケータアセンブリの向きを前記アプリケータアセンブリが維持するよう前記取付フレームを操作するように構成された、アプリケータアクチュエータ
を含む、アプリケータアセンブリ。
（態様Ａ２）
前記アプリケータアクチュエータ及び前記少なくとも１つのセンサに通信可能に連結されたコントローラを更に備え、前記コントローラは、前記アプリケータアクチュエータを作動させ、前記輪郭付けられた面に基づき前記取付フレームを操作するように構成されている、態様Ａ１に記載のアプリケータアセンブリ。
（態様Ａ３）
前記少なくとも１つのセンサが、前記輪郭付けられた面をスキャンして前記輪郭データセットを生成するように構成された表面スキャンレーザを含み、前記輪郭データセットは、輪郭付けられた面プロファイル、及び、前記アプリケータアセンブリと前記輪郭付けられた面との間の距離を含む、態様Ａ２に記載のアプリケータアセンブリ。
（態様Ａ４）
前記アプリケータアクチュエータが、前記取付フレームの基部を旋回可能に支持し、前記取付フレームの、前記アプリケータアセンブリの軸の周りでの回転を可能にするように構成された、ジンバルを含む、態様Ａ１からＡ３のいずれか一つに記載のアプリケータアセンブリ。
（態様Ａ５）
前記アプリケータアクチュエータが、ロッド第１端で前記取付フレームに回転可能に連結されロッド第２端で駆動装置に回転可能に連結された、少なくとも２つのロッドを更に含み、前記駆動装置が前記少なくとも２つのロッドを独立に動かし、前記取付フレームを前記アプリケータアセンブリの軸の周りで回転させ、前記輪郭付けられた面に対する前記アプリケータアセンブリの前記向きを維持する、態様Ａ４に記載のアプリケータアセンブリ。
（態様Ａ６）
前記アプリケータアクチュエータが、ジンバルの表面に作動可能に連結された第１の外周面を有する第１のホイールと、前記ジンバルの前記表面に作動可能に連結された第２の外周面を有する第２のホイールとを更に含み、前記第１のホイール及び第２のホイールが電気モータによって回転可能に駆動され、前記取付フレームを前記アプリケータアセンブリの前記軸の周りで回転させ、前記輪郭付けられた面に従って前記アプリケータアセンブリの前記向きを維持する、態様Ａ４又はＡ５に記載のアプリケータアセンブリ。
（態様Ａ７）
前記第１のホイールの前記第１の外周面が、前記第２のホイールの前記第２の外周面に対して直角に向けられ、前記第１のホイール及び第２のホイールが前記電気モータによって独立に駆動され、前記取付フレームの、前記ジンバルの周りでの回転が複数の回転自由度を提供し、前記輪郭付けられた面に従った前記アプリケータアセンブリの前記向きを維持する、態様Ａ６に記載のアプリケータアセンブリ。
（態様Ａ８）
前記アプリケータヘッドが、前記表面処理を前記輪郭付けられた面に施すように構成されたインクジェット印刷ヘッドを含み、前記表面処理が装飾層を含む、態様Ａ１から７のいずれか一つに記載のアプリケータアセンブリ。
（態様Ａ９）
輪郭付けられた面を処理する表面処理アレイであって、
少なくとも第１の半径範囲及び第２の半径範囲を有する、調整可能基部、
前記調整可能基部に連結された複数のアプリケータアセンブリであって、各アプリケータアセンブリがアプリケータヘッドを支持し位置決めするように構成された取付フレームを有する、アプリケータアセンブリ、
各取付フレームに作動可能に連結された少なくとも１つのセンサであって、各センサが、前記輪郭付けられた面をスキャンし輪郭データセットを生成するように構成されている、センサ、
前記調整可能基部に作動可能に連結され、前記調整可能基部を少なくとも前記第１の半径範囲と前記第２の半径範囲との間で操作するように構成された、調整可能基部アクチュエータ、
各取付フレームに作動可能に連結され、各アプリケータアセンブリが前記輪郭付けられた面に対する向きを維持するよう前記取付フレームを操作するように構成された、アプリケータアクチュエータ、並びに
前記調整可能基部アクチュエータに通信可能に連結されたコントローラであって、前記調整可能基部アクチュエータを作動させ、少なくとも前記第１の半径範囲と前記第２の半径範囲との間で前記調整可能基部を操作して、前記輪郭付けられた面に表面処理を施すために各アプリケータアセンブリを選択的に作動させるようプログラムされた、コントローラ
を含む、表面処理アレイ。
（態様Ａ１０）
前記コントローラが、前記アプリケータアクチュエータ及び各センサに通信可能に連結されており、前記コントローラが更に、前記輪郭データセットに基づいて各アプリケータアセンブリを作動させるように構成されている、態様Ａ９に記載の表面処理アレイ。
（態様Ａ１１）
各センサが、前記輪郭付けられた面をスキャンして前記輪郭データセットを生成するように構成された表面スキャンレーザを含み、前記輪郭データセットは、輪郭付けられた面プロファイル、及び、各アプリケータアセンブリと前記輪郭付けられた面との間の距離を含む、態様Ａ１０に記載の表面処理アレイ。
（態様Ａ１２）
各アプリケータアクチュエータが、各取付フレームの基部を旋回可能に支持し、各取付フレームを各アプリケータアセンブリの軸の周りで回転させるように構成された、ジンバルを含む、態様Ａ９からＡ１１のいずれか一つに記載の表面処理アレイ。
（態様Ａ１３）
各アプリケータアクチュエータが、ロッド第１端が各取付フレームに回転可能に連結されロッド第２端が駆動装置に回転可能に連結された、少なくとも２つのロッドを更に含み、前記駆動装置が前記少なくとも２つのロッドを独立に動かし、各取付フレームを各アプリケータアセンブリの前記軸の周りで回転させることにより、前記輪郭付けられた面に対する各アプリケータアセンブリの向きを維持する、態様Ａ１２に記載の表面処理アレイ。
（態様Ａ１４）
各アプリケータアクチュエータが、前記ジンバルの表面に作動可能に連結された第１の外周面を有する第１のホイールと、前記ジンバルの前記表面に作動可能に連結された第２の外周面を有する第２のホイールとを更に含み、前記第１のホイール及び第２のホイールが、前記取付フレームを各アプリケータアセンブリの前記軸の周りで回転させるように構成された電気モータによって回転可能に駆動されることにより、前記輪郭付けられた面に対する各アプリケータアセンブリの向きを維持する、態様Ａ１２又はＡ１３に記載の表面処理アレイ。
（態様Ａ１５）
前記第１のホイールの前記第１の外周面が、前記第２のホイールの前記第２の外周面に対して直角に向けられ、前記第１のホイール及び第２のホイールが前記電気モータによって独立に駆動され、前記ジンバルが前記取付フレームを複数の回転自由度で回転させることにより、前記輪郭付けられた面に対する各アプリケータアセンブリの向きを維持する、態様Ａ１４に記載の表面処理アレイ。
（態様Ａ１６）
各アプリケータヘッドが、前記表面処理を前記輪郭付けられた面に施すように構成されたインクジェット印刷ヘッドを含み、前記表面処理が装飾層を含む、態様Ａ９からＡ１５のいずれか一つに記載の表面処理アレイ。
（態様Ａ１７）
表面処理アレイを用いて、輪郭付けられた面を処理する方法であって、
調整可能基部に複数のアプリケータアセンブリを提供することであって、前記複数のアプリケータアセンブリの各アプリケータアセンブリが、前記輪郭付けられた面に表面処理を施すように構成されている、複数のアプリケータアセンブリを提供すること
前記輪郭付けられた面の既存の形状を判定すること、
調整可能基部アクチュエータを用いて、前記調整可能基部を、前記判定された前記輪郭付けられた面の既存の形状に基づく所望の基部輪郭へ操作することにより、各アプリケータアセンブリを前記輪郭付けられた面に対して位置決めすること、
各アプリケータアセンブリに作動可能に連結されたアプリケータアクチュエータを操作して、前記輪郭付けられた面に対する各アプリケータアセンブリの向きを維持すること、並びに
前記複数のアプリケータアセンブリを選択的に作動させて、前記輪郭付けられた面に沿って前記表面処理を施すこと
を含む、方法。
（態様Ａ１８）
各アプリケータアクチュエータが、各アプリケータアセンブリの取付フレームの基部を旋回可能に支持するように構成されたジンバルを更に含み、前記アプリケータアクチュエータを操作することが、関連付けられたアプリケータアセンブリの軸の周りで各取付フレームを回転させることを含む、態様Ａ１７に記載の方法。
（態様Ａ１９）
各アプリケータアセンブリが少なくとも１つのセンサを更に含み、前記輪郭付けられた面の前記既存の形状を判定することが、前記少なくとも１つのセンサを用いて前記輪郭付けられた面をスキャンし、輪郭データセットを生成することを含む、態様Ａ１７又は１８に記載の方法。
（態様Ａ２０）
各アプリケータアセンブリがインクジェット印刷ヘッドを含み、前記複数のアプリケータアセンブリを選択的に作動させることが、前記輪郭付けられた面に沿って装飾層を施すことを含む、態様Ａ１７からＡ１９のいずれか一つに記載の方法。

（態様Ｂ１）
輪郭付けられた面を処理するアプリケータアセンブリであって、
前記輪郭付けられた面に表面処理を施すように構成されたアプリケータヘッドを固定及び位置決めするように構成された、取付フレーム、
前記取付フレームに作動可能に連結され、前記輪郭付けられた面をスキャンして輪郭データセットを生成するように構成された、少なくとも１つのセンサ、並びに
前記取付フレームに作動可能に連結されたジンバルであって、前記ジンバルが前記取付フレームの、前記アプリケータアセンブリの軸の周りでの回転を可能にするように、前記取付フレームの基部を旋回可能に支持するように構成されたジンバルを含むアプリケータアクチュエータ、
を備え、
前記アプリケータアクチュエータが、前記ジンバルの表面に作動可能に連結された第１の外周面を有する第１のホイールと、前記ジンバルの前記表面に作動可能に連結された第２の外周面を有する第２のホイールと、を更に含み、前記第１のホイール及び第２のホイールが電気モータによって回転可能に駆動され、前記取付フレームを前記アプリケータアセンブリの前記軸の周りで回転させ、前記輪郭付けられた面に対する各アプリケータアセンブリの向きを維持する、アプリケータアセンブリ。
（態様Ｂ２）
前記アプリケータアクチュエータ及び前記少なくとも１つのセンサに通信可能に連結されたコントローラを更に備え、前記コントローラは、前記アプリケータアクチュエータを作動させ、前記輪郭付けられた面に基づき前記取付フレームを操作するように構成されている、態様Ｂ１に記載のアプリケータアセンブリ。
（態様Ｂ３）
前記少なくとも１つのセンサが、前記輪郭付けられた面をスキャンして前記輪郭データセットを生成するように構成された表面スキャンレーザを含み、前記輪郭データセットは、輪郭付けられた面プロファイル、及び、前記アプリケータアセンブリと前記輪郭付けられた面との間の距離を含む、態様Ｂ２に記載のアプリケータアセンブリ。
（態様Ｂ４）
前記第１のホイールの前記第１の外周面が、前記第２のホイールの前記第２の外周面に対して直角に向けられ、前記第１のホイール及び第２のホイールが前記電気モータによって独立に駆動され、前記取付フレームの、前記ジンバルの周りでの回転が複数の回転自由度を提供し、前記輪郭付けられた面に従った前記アプリケータアセンブリの前記向きを維持する、態様Ｂ１から３のいずれか一つに記載のアプリケータアセンブリ。
（態様Ｂ５）
前記アプリケータヘッドが、前記表面処理を前記輪郭付けられた面に施すように構成されたインクジェット印刷ヘッドを含み、前記表面処理が装飾層を含む、態様Ｂ１から４のいずれか一つに記載のアプリケータアセンブリ。
（態様Ｂ６）
輪郭付けられた面を処理する表面処理アレイであって、
少なくとも第１の半径範囲及び第２の半径範囲を有する、調整可能基部、
前記調整可能基部に連結された複数のアプリケータアセンブリであって、前記複数のアプリケータアセンブリの各アプリケータアセンブリがアプリケータヘッドを支持し位置決めするように構成された取付フレームを有する、アプリケータアセンブリ、
前記取付フレームに作動可能に連結された少なくとも１つのセンサであって、各センサが、前記輪郭付けられた面をスキャンし輪郭データセットを生成するように構成されている、センサ、
前記調整可能基部に作動可能に連結され、前記調整可能基部を少なくとも前記第１の半径範囲と前記第２の半径範囲との間で操作するように構成された、調整可能基部アクチュエータ、
前記複数のアプリケータアセンブリの各アプリケータアセンブリの前記取付フレームに作動可能に連結されたジンバルであって、前記ジンバルが前記取付フレームの、前記複数のアプリケータアセンブリの各アプリケータアセンブリの軸の周りでの回転を可能にするように、前記取付フレームの基部を旋回可能に支持するように構成されたジンバルを含むアプリケータアクチュエータ、
を備え、
前記アプリケータアクチュエータが、前記ジンバルの表面に作動可能に連結された第１の外周面を有する第１のホイールと、前記ジンバルの前記表面に作動可能に連結された第２の外周面を有する第２のホイールと、を更に含み、前記第１のホイール及び第２のホイールが、電気モータによって回転可能に駆動され、前記取付フレームを前記複数のアプリケータアセンブリの各アプリケータアセンブリの前記軸の周りで回転させ、前記輪郭付けられた面に対する向きを維持し、
当該表面処理アレイは更に、
前記調整可能基部アクチュエータに通信可能に連結されたコントローラであって、前記調整可能基部アクチュエータを作動させ、少なくとも前記第１の半径範囲と前記第２の半径範囲との間で前記調整可能基部を操作して、前記輪郭付けられた面に表面処理を施すために各アプリケータアセンブリを選択的に作動させるようプログラムされた、コントローラ
を含む、表面処理アレイ。
（態様Ｂ７）
前記コントローラが、前記アプリケータアクチュエータ及び前記少なくとも１つのセンサに通信可能に連結されており、前記コントローラが更に、前記輪郭データセットに基づいて前記複数のアプリケータアセンブリの各アプリケータアセンブリを作動させるように構成されている、態様Ｂ６に記載の表面処理アレイ。
（態様Ｂ８）
前記少なくとも１つのセンサが、前記輪郭付けられた面をスキャンして前記輪郭データセットを生成するように構成された表面スキャンレーザを含み、前記輪郭データセットは、輪郭付けられた面プロファイル、及び、前記複数のアプリケータアセンブリの各アプリケータアセンブリと前記輪郭付けられた面との間の距離を含む、態様Ｂ７に記載の表面処理アレイ。
（態様Ｂ９）
前記第１のホイールの前記第１の外周面が、前記第２のホイールの前記第２の外周面に対して直角に向けられ、前記第１のホイール及び第２のホイールが前記電気モータによって独立に駆動され、前記ジンバルが前記取付フレームを複数の回転自由度で回転させることにより、前記輪郭付けられた面に対する前記複数のアプリケータアセンブリの各アプリケータアセンブリの前記向きを維持する、態様Ｂ６からＢ９のいずれか一つに記載の表面処理アレイ。
（態様Ｂ１０）
各アプリケータヘッドが、前記表面処理を前記輪郭付けられた面に施すように構成されたインクジェット印刷ヘッドを含み、前記表面処理が装飾層を含む、態様Ｂ６からＢ９のいずれか一つに記載の表面処理アレイ。
（態様Ｂ１１）
表面処理アレイを用いて、輪郭付けられた面を処理する方法であって、
調整可能基部に複数のアプリケータアセンブリを提供することであって、前記複数のアプリケータアセンブリの各アプリケータアセンブリが、前記輪郭付けられた面に表面処理を施すように構成されている、複数のアプリケータアセンブリを提供すること
前記輪郭付けられた面の既存の形状を判定すること、
調整可能基部アクチュエータを用いて、前記調整可能基部を、前記判定された前記輪郭付けられた面の既存の形状に基づく所望の基部輪郭へ操作することにより、各アプリケータアセンブリを前記輪郭付けられた面に対して位置決めすること、
前記複数のアプリケータアセンブリの各アプリケータアセンブリの取付フレームに作動可能に連結されたジンバルを含むアプリケータアクチュエータを操作して、前記輪郭付けられた面に対する各アプリケータアセンブリの向きを維持すること、
を含み、
前記ジンバルが前記取付フレームの基部を旋回可能に支持し、且つ前記取付フレームの、前記複数のアプリケータアセンブリの各アプリケータアセンブリの軸の周りでの回転を可能にするように構成され、前記アプリケータアクチュエータが、前記ジンバルの表面に作動可能に連結された第１の外周面を有する第１のホイールと、前記ジンバルの前記表面に作動可能に連結された第２の外周面を有する第２のホイールと、を更に含み、前記第１のホイール及び第２のホイールが、電気モータによって回転可能に駆動され、前記取付フレームを前記複数のアプリケータアセンブリの各アプリケータアセンブリの前記軸の周りで回転させ、前記輪郭付けられた面に対する前記複数のアプリケータアセンブリの各アプリケータアセンブリの向きを維持し、
当該方法は更に、
前記複数のアプリケータアセンブリの各アプリケータアセンブリを選択的に作動させて、前記輪郭付けられた面に沿って前記表面処理を施すこと
を含む、方法。
（態様Ｂ１２）
前記複数のアプリケータアセンブリの各アプリケータアセンブリが少なくとも１つのセンサを更に含み、前記輪郭付けられた面の前記既存の形状を判定することが、前記少なくとも１つのセンサを用いて前記輪郭付けられた面をスキャンし、輪郭データセットを生成することを含む、態様Ｂ１１に記載の方法。
（態様Ｂ１３）
前記複数のアプリケータアセンブリの各アプリケータアセンブリがインクジェット印刷ヘッドを含み、前記複数のアプリケータアセンブリの各アプリケータアセンブリを選択的に作動させることが、前記輪郭付けられた面に沿って装飾層を施すことを含む、態様Ｂ１１又はＢ１２に記載の方法。
上記の詳細な説明はある具体的な実施形態に対して提供されたものであるが、本開示の範囲はそれらの実施形態に限定されるべきでなく、実施可能性及びベストモードのためにのみ提供されていることを理解されたい。本開示の範囲及び趣旨は具体的に記載された実施形態よりも広く、添付の特許請求の範囲内に含まれるものである。更に、ある具体的な実施形態とともに幾つかの特徴を記載したが、これらの特徴はその実施形態で用いられるよう限定されるものではなく、代替となる実施形態とともに記載した他の特徴と共に用いられるか、或いは別個に用いられてもよい。